(57)【要約】【課題】  送信機の計測時間を節減する。【解決手段】  受信パケットのペイロードと同一のペイロードを有する返信パケットを送信する送信機２０の特性を測定する送信機特性測定装置１０が、複数種類の測定用データを有する送信パケットを送信するパケット送信部１２と、送信パケットを受信パケットとして送信機２０が受信したことにより送信機２０から送信される返信パケットを受信するパケット受信部１４と、パケット受信部１４が受信した返信パケットに基づき送信機２０の特性を測定する特性測定部１６とを備えたので、送信機２０から送信される返信パケットは複数種類の測定用データを有する。よって、測定用データを一種類ずつパケットにより送信機２０から送信する場合に比べて、パケット送信にかかる時間を節減できる。【選択図】  図１
2005101754.tif 000002
【特許請求の範囲】
【請求項１】
受信パケットのデータ本体と同一のデータ本体を有する返信パケットを送信する送信機の特性を測定する送信機特性測定装置であって、
複数種類の測定用データを有する送信パケットを送信するパケット送信手段と、
前記送信パケットを前記受信パケットとして前記送信機が受信したことにより前記送信機から送信される返信パケットを受信するパケット受信手段と、
前記パケット受信手段が受信した返信パケットに基づき送信機の特性を測定する特性測定手段と、
を備えた送信機特性測定装置。
【請求項２】
請求項１に記載の送信機特性測定装置であって、
前記送信機の特性の測定にあたり、前記複数種類の測定用データが必要とされる、
送信機特性測定装置。
【請求項３】
請求項２に記載の送信機特性測定装置であって、
前記送信機は、Bluetooth方式のＲＦモジュールである、
送信機特性測定装置。
【請求項４】
請求項１に記載の送信機特性測定装置であって、
前記特性測定手段は変調度を測定する、
送信機特性測定装置。
【請求項５】
請求項１に記載の送信機特性測定装置であって、
前記複数種類の測定用データは、それぞれ異なる周波数により変調されており、
前記特性測定手段は前記周波数の比を測定する、
送信機特性測定装置。
【請求項６】
受信パケットのデータ本体と同一のデータ本体を有する返信パケットを送信する送信機の特性を測定する送信機特性測定方法であって、
複数種類の測定用データを有する送信パケットを送信するパケット送信工程と、
前記送信パケットを前記受信パケットとして前記送信機が受信したことにより前記送信機から送信される返信パケットを受信するパケット受信工程と、
前記パケット受信工程により受信された返信パケットに基づき送信機の特性を測定する特性測定工程と、
を備えた送信機特性測定方法。
【請求項７】
受信パケットのデータ本体と同一のデータ本体を有する返信パケットを送信する送信機の特性を測定する送信機特性測定処理をコンピュータに実行させるためのプログラムであって、
複数種類の測定用データを有する送信パケットを送信するパケット送信処理と、
前記送信パケットを前記受信パケットとして前記送信機が受信したことにより前記送信機から送信される返信パケットを受信するパケット受信処理と、
前記パケット受信処理により受信された返信パケットに基づき送信機の特性を測定する特性測定処理と、
をコンピュータに実行させるためのプログラム。
【請求項８】
受信パケットのデータ本体と同一のデータ本体を有する返信パケットを送信する送信機の特性を測定する送信機特性測定処理をコンピュータに実行させるためのプログラムを記録したコンピュータによって読み取り可能な記録媒体であって、
複数種類の測定用データを有する送信パケットを送信するパケット送信処理と、
前記送信パケットを前記受信パケットとして前記送信機が受信したことにより前記送信機から送信される返信パケットを受信するパケット受信処理と、
前記パケット受信処理により受信された返信パケットに基づき送信機の特性を測定する特性測定処理と、
をコンピュータに実行させるためのプログラムを記録したコンピュータによって読み取り可能な記録媒体。
【発明の詳細な説明】
【技術分野】
【０００１】
本発明は、送信機（例えば、Bluetooth（商標）方式のＲＦ（radio frequency）モジュール等）の試験に関する。
【背景技術】
【０００２】
従来より、Bluetooth（商標）方式のＲＦ（radio frequency：無線周波数）モジュールの試験が行なわれている。
【０００３】
試験の際には、Bluetooth方式のＲＦモジュールからパターンＦφのパケット（データ11110000）を送信し、計測器により受信する。さらに、Bluetooth方式のＲＦモジュールからパターンＡＡのパケット（データ0101）を送信し、計測器により受信する。計測器はBluetooth方式のＲＦモジュールから受信したデータを測定し、データ伝送による変調度、パケット内のドリフト、ドリフトレートを取得する。
【０００４】
なお、Bluetooth方式のＲＦモジュールの測定ではないが、変調度の測定については、特許文献１に記載がある。
【０００５】
【特許文献１】特開平９−１８９７３１号公報
【発明の開示】
【発明が解決しようとする課題】
【０００６】
しかしながら、上記のようなBluetooth方式のＲＦモジュールは、試験用としては二種類のパケット（パターンＦφおよびパターンＡＡ）を有しているだけであるため、パケットを二回送信する必要がある。よって、計測器によるパケットの受信に時間がかかる。
【０００７】
そこで、本発明は、送信機の計測時間の節減を課題とする。
【課題を解決するための手段】
【０００８】
請求項１に記載の発明は、受信パケットのデータ本体と同一のデータ本体を有する返信パケットを送信する送信機の特性を測定する送信機特性測定装置であって、複数種類の測定用データを有する送信パケットを送信するパケット送信手段と、送信パケットを受信パケットとして送信機が受信したことにより送信機から送信される返信パケットを受信するパケット受信手段と、パケット受信手段が受信した返信パケットに基づき送信機の特性を測定する特性測定手段とを備えるように構成される。
【０００９】
上記のように構成された発明によれば、受信パケットのデータ本体と同一のデータ本体を有する返信パケットを送信する送信機の特性を測定する送信機特性測定装置が提供される。なお、データ本体とは、例えば、ペイロードのような、本来転送したいデータ本体のことをいう。
【００１０】
パケット送信手段は、複数種類の測定用データを有する送信パケットを送信する。パケット受信手段は、送信パケットを受信パケットとして送信機が受信したことにより送信機から送信される返信パケットを受信する。特性測定手段は、パケット受信手段が受信した返信パケットに基づき送信機の特性を測定する。
【００１１】
請求項２に記載の発明は、請求項１に記載の発明であって、送信機の特性の測定にあたり、複数種類の測定用データが必要とされるように構成される。
【００１２】
請求項３に記載の発明は、請求項２に記載の発明であって、送信機は、Bluetooth方式のＲＦモジュールであるように構成される。
【００１３】
請求項４に記載の発明は、請求項１に記載の発明であって、特性測定手段は変調度を測定するように構成される。
【００１４】
請求項５に記載の発明は、請求項１に記載の発明であって、複数種類の測定用データは、それぞれ異なる周波数により変調されており、特性測定手段は周波数の比を測定するように構成される。
【００１５】
請求項６に記載の発明は、受信パケットのデータ本体と同一のデータ本体を有する返信パケットを送信する送信機の特性を測定する送信機特性測定方法であって、複数種類の測定用データを有する送信パケットを送信するパケット送信工程と、送信パケットを受信パケットとして送信機が受信したことにより送信機から送信される返信パケットを受信するパケット受信工程と、パケット受信工程により受信された返信パケットに基づき送信機の特性を測定する特性測定工程とを備えるように構成される。
【００１６】
請求項７に記載の発明は、受信パケットのデータ本体と同一のデータ本体を有する返信パケットを送信する送信機の特性を測定する送信機特性測定処理をコンピュータに実行させるためのプログラムであって、複数種類の測定用データを有する送信パケットを送信するパケット送信処理と、送信パケットを受信パケットとして送信機が受信したことにより送信機から送信される返信パケットを受信するパケット受信処理と、パケット受信処理により受信された返信パケットに基づき送信機の特性を測定する特性測定処理とをコンピュータに実行させるためのプログラムである。
【００１７】
請求項８に記載の発明は、受信パケットのデータ本体と同一のデータ本体を有する返信パケットを送信する送信機の特性を測定する送信機特性測定処理をコンピュータに実行させるためのプログラムを記録したコンピュータによって読み取り可能な記録媒体であって、複数種類の測定用データを有する送信パケットを送信するパケット送信処理と、送信パケットを受信パケットとして送信機が受信したことにより送信機から送信される返信パケットを受信するパケット受信処理と、パケット受信処理により受信された返信パケットに基づき送信機の特性を測定する特性測定処理とをコンピュータに実行させるためのプログラムを記録したコンピュータによって読み取り可能な記録媒体である。
【発明を実施するための最良の形態】
【００１８】
以下、本発明の実施形態を図面を参照しながら説明する。
【００１９】
図１は、本発明の実施形態にかかる送信機特性測定装置１０に送信機２０を接続した測定系の構成を示すブロック図である。
【００２０】
送信機特性測定装置１０は、パケット送信部１２、送受信端子１３、パケット受信部１４、特性測定部１６を備える。
【００２１】
パケット送信部１２は、複数種類のデータを有する送信パケットを送信する。送信パケット３０の構成を図２に示す。図２に示すように、送信パケット３０は、ある一定の時間間隔を置いて繰り返される。送信パケット３０は、ヘッダ３２、ペイロード３４を有する。ヘッダ３２は、プリアンブル、アクセスコード、パケットヘッダ等を有する。ペイロード３４は、複数種類の測定用データを有する。ペイロード３４の構成を図３に示す。ペイロード３４は、測定用データ３４ａ、３４ｂを有する。測定用データ３４ａはパターンＡＡ、測定用データ３４ｂはパターンφＦである（図３（ａ）参照）。なお、測定用データ３４ａと測定用データ３４ｂの間は、データ“０１”で隔てられている。また、ペイロード３４には、測定用データ３４ａ、データ“０１”、測定用データ３４ｂが繰り返し記録されている。測定用データ３４ａは周波数ｆ２により変調されており、測定用データ３４ｂは周波数ｆ１により変調されている（図３（ｂ）参照）。なお、ｆ２＞ｆ１である。測定用データ３４ａは、データ“０１０１０１０１”、測定用データ３４ｂは、データ“００００１１１１”である（図３（ｃ）参照）。
【００２２】
送受信端子１３は、パケット送信部１２から送信パケットを受け、送信機２０に向けて送る。また、送受信端子１３は、送信機２０から返信パケットを受け、パケット受信部１４に向けて送る。
【００２３】
パケット受信部１４は、送受信端子１３を介して、返信パケットを受信する。
【００２４】
特性測定部１６は、パケット受信部１４が受信した返信パケットを読み出して、送信機２０の特性を測定する。後述するように、返信パケットのペイロードは、送信パケットのペイロードと同一である。よって、送信機特性測定装置１０は、送信機２０から、測定用データ３４ａ、３４ｂを受信することになる。そこで、特性測定部１６は、例えば、測定用データ３４ａ、３４ｂを復調して、送信波形を取得し、ビット位置に対応した部分の変調度を測定する。さらに、特性測定部１６は、例えば、ｆ２／ｆ１を測定する。
【００２５】
送信機２０は、例えば、Bluetooth（商標）方式のＲＦ（radio frequency：無線周波数）モジュールである。Bluetooth方式のＲＦモジュールの試験にあたっては、測定用データ３４ａ、３４ｂを送信機２０が送信し、送信機特性測定装置１０が測定用データ３４ａ、３４ｂを受信する必要がある。
【００２６】
送信機２０は、送受信端子２２、復調部２４、パケット生成部２６、変調部２７、アンプ２８を備える。
【００２７】
送受信端子２２は、送信機特性測定装置１０から送信パケットを受信パケットとして受ける。また、送受信端子２２は、送信機特性測定装置１０へ、返信パケットを送信する。なお、受信パケットのペイロードと、返信パケットのペイロードとは同一である。
【００２８】
復調部２４は、送受信端子２２を介して、受信パケットを受ける。そして、受信パケットを復調して、受信パケットのペイロード（図３参照）を取得する。
【００２９】
パケット生成部２６は、受信パケットのペイロードに、ヘッダ（プリアンブル、アクセスコード、パケットヘッダ等）を付加して、返信パケットを生成する。
【００３０】
変調部２７は、パケット生成部２６から返信パケットを受けて、変調する。
【００３１】
アンプ２８は、変調部２７により変調された返信パケットを増幅して、送受信端子２２を介して、送信機特性測定装置１０に送る。
【００３２】
次に、本発明の実施形態の動作を図４のフローチャートを参照して説明する。
【００３３】
まず、送信機特性測定装置１０のパケット送信部１２から送信パケットを送信する（Ｓ１０、図１の（１）を参照）。
【００３４】
送信パケットは、送信機２０の送受信端子２２により、受信パケットとして受信される。受信パケットは復調部２４により復調され、受信パケットのペイロードが取得される。このペイロードには、パケット生成部２６により、ヘッダが付加され、返信パケットとなる。返信パケットは、変調部２７により変調されてから、アンプ２８により増幅され、送受信端子２２を介して、送信機特性測定装置１０に送られる（Ｓ２０、図１の（２）を参照）。いわゆる、ループバック機能である。
【００３５】
返信パケットは、送受信端子１３を介して、パケット受信部１４により受信される（Ｓ３０、図１の（３）を参照）。
【００３６】
特性測定部１６は、パケット受信部１４が受信した返信パケットを読み出して、送信機２０の特性を測定する（Ｓ４０）。
【００３７】
本発明の実施形態によれば、送信機２０から送信される返信パケットは、そのペイロードに、測定用データ３４ａ、３４ｂを有している。このため、測定用データ３４ａを有するパケットを送信し、その後、測定用データ３４ｂを有するパケットを送信する場合に比べて、返信パケットの送信にかかる時間を節減できる。
【００３８】
しかも、本発明の実施形態によれば、返信パケットのペイロードは、送信機特性測定装置１０から送られてくる送信パケットから取得できる。よって、送信機２０が測定用データ３４ａ、３４ｂを有するペイロードのデータを記録していなくても、返信パケットの送信にかかる時間を節減できる。
【００３９】
さらに、本発明の実施形態は、特に測定用データ３４ａ、３４ｂの双方を測定に必要とするBluetooth方式のＲＦモジュールの試験に適している。
【００４０】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば、パケット送信部１２、パケット受信部１４、特性測定部１６）を実現するプログラムを記録したメディアを読み取らせて、ハードディスクにインストールする。このような方法でも、送信機特性測定装置１０の機能を実現できる。
【図面の簡単な説明】
【００４１】
【図１】本発明の実施形態にかかる送信機特性測定装置１０に送信機２０を接続した測定系の構成を示すブロック図である。
【００４２】
【図２】送信パケット３０の構成を示す図である。
【００４３】
【図３】ペイロード３４の構成を示す図である。
【００４４】
【図４】本発明の実施形態の動作を示すフローチャートである。
【符号の説明】
【００４５】
１０  送信機特性測定装置
１２  パケット送信部
１３  送受信端子
１４  パケット受信部
１６  特性測定部
【図１】
2005101754.tif 000003
【図２】
2005101754.tif 000004
【図３】
2005101754.tif 000005
【図４】
2005101754.tif 000006